(57)【要約】【課題】経験の少ない点検員でも効率的、漏れのない点検作業を実施することにある。【解決手段】点検作業情報を記憶する点検サーバ２と、非接触ＩＣカード１６が搭載され、かつ通信処理部１４を有する携帯端末１と、この携帯端末と点検サーバとの情報の受渡しを行う中継端末３とを備え、前記携帯端末１は、中継端末３に非接触ＩＣカード１６を近づけて点検作業要求指示を出し、中継端末３を介して点検サーバ２から各時刻ごとの点検作業内容を規定した点検作業情報をダウンロードし、表示部１５に表示する点検作業情報表示手段１２Ａと、点検作業時に表示部１５に複数の点検作業項目を表示し、作業進捗状況に応じて特定の点検作業項目を選択したとき、選択された点検作業項目の点検作業終了を表す作業進捗状況を通信処理部１４を介して点検サーバ２に通知する作業進捗状況通知手段１２Ｂとを備えた電気装置の点検支援システムである。【選択図】図１
2010186438.tif 000002
【特許請求の範囲】
【請求項１】
点検対象装置の点検作業を支援するために携行する通信処理機能を備えた携帯端末において、
前記非接触ＩＣカードが搭載され、前記点検対象装置の設置されている建物・場所に設置される中継端末に近づけて点検作業要求指示を出し、当該中継端末を介して点検サーバから所定の時刻ごとの点検作業内容を規定した点検作業情報をダウンロードし、表示部に表示する点検作業情報表示手段と、点検作業時に前記表示部に複数の点検作業項目を表示し、点検作業の進捗状況に応じて特定の点検作業項目が選択されたとき、当該選択された点検作業項目の点検作業終了を表す作業進捗状況情報を前記通信処理機能を用いて前記点検サーバに通知する作業進捗状況通知手段と、所定の時刻ごとに割り当てられた点検作業内容の作業終了時、記憶指示入力に基づき前記点検作業内容、作業上必要な留意事項の入力データ等の点検結果を記憶し、全ての点検作業の終了後、前記非接触ＩＣカードを前記中継端末に近づけて送信指示を出し、当該中継端末から点検結果の情報を読み取らせて前記点検サーバに送信させる点検結果情報送信手段とを備えたことを特徴とする携帯端末。
【請求項２】
所定の期間にわたって複数の点検対象装置の点検作業情報を記憶する点検サーバと、非接触ＩＣカードが搭載され、かつ前記点検サーバとの間で通信処理機能を有する携帯端末と、この携帯端末と前記点検サーバとの情報の受渡しを行う中継端末とを備え、
前記携帯端末は、前記中継端末に前記非接触ＩＣカードを近づけて点検作業要求指示を出し、当該中継端末を介して点検サーバから所定の時刻ごとの点検作業内容を規定した点検作業情報をダウンロードし、表示部に表示する点検作業情報表示手段と、点検作業時に前記表示部に複数の点検作業項目を表示し、点検作業の進捗状況に応じて特定の点検作業項目が選択されたとき、当該選択された点検作業項目の点検作業終了を表す作業進捗状況情報を前記通信処理機能を用いて前記点検サーバに通知する作業進捗状況通知手段とを備えたことを特徴とする非接触ＩＣカードを利用した電気装置の点検支援システム。
【請求項３】
請求項２に記載の非接触ＩＣカードを利用した電気装置の点検支援システムにおいて、
前記携帯端末は、前記表示部に表示された前記点検作業情報のうち、所定の時刻ごとに割り当てられた点検作業内容が終了したとき、記憶指示入力に基づき当該点検作業内容、作業上必要な留意事項のメモ書きデータ，音声入力データの点検結果を記憶する記憶手段と、今回実施の全部の点検作業の終了後、前記中継端末に前記非接触ＩＣカードを近づけて送信指示を出し、当該中継端末から点検結果の情報を読み取らせて前記点検サーバに送信させる点検結果情報送信手段とを、さらに設けたことを特徴とする非接触ＩＣカードを利用した電気装置の点検支援システム。
【請求項４】
請求項２または請求項３に記載の非接触ＩＣカードを利用した電気装置の点検支援システムにおいて、
前記点検対象装置の扉または当該点検対象装置が設置された部屋の出入口ドアに電子錠及びＩＣカードを装着され、
前記携帯端末は、前記点検サーバから前記中継端末を介して点検作業情報を受け取る際、当該点検作業情報とともに前記電子錠の錠情報及び前記ＩＣカードのカードＩＤ情報の少なくとも１つの情報を受け取る受領手段と、前記扉または部屋の出入口ドアに装着された前記ＩＣカードに近づけ、当該ＩＣカードから前記錠情報，カードＩＤ情報を読取り、前記点検サーバから取得した錠情報，カードＩＤ情報と比較し、一致したとき錠情報，カードＩＤ情報のもとに電子錠のロック解除指令を出力する操作規制判断手段とを、さらに設けたことを特徴とする非接触ＩＣカードを利用した電気装置の点検支援システム。
【請求項５】
点検対象装置の設置されている建物・場所に設置される中継端末に対して、非接触ＩＣカードが搭載され、かつ前記点検サーバとの間で通信処理機能を有する携帯端末を近づけて点検作業要求指示を出し、当該携帯端末が前記中継端末を介して点検サーバから所定の時刻ごとの点検作業内容を規定した点検作業情報をダウンロードし、表示部に表示する点検作業情報表示ステップと、
この表示部に表示された前記点検作業情報のうち、所定の時刻ごとに割り当てられた点検作業内容が終了したとき、記憶指示入力に基づき当該点検作業内容、作業上必要な留意事項データを個別点検結果として記憶する記憶ステップと、
点検作業時に前記表示部に複数の点検作業項目を表示し、点検作業の進捗状況に応じて特定の点検作業項目が選択されたとき、当該選択された点検作業項目の点検作業終了を表す作業進捗状況情報を前記通信処理機能を用いて前記点検サーバに通知する作業進捗状況通知ステップと、
今回実施の全部の点検作業の終了後、前記中継端末に前記非接触ＩＣカードを近づけて送信指示を出し、当該中継端末から点検結果の情報を読み取らせて前記点検サーバに送信させる点検結果送信ステップと
を有する非接触ＩＣカードを利用した電気装置の点検支援方法。
【請求項６】
請求項５に記載の非接触ＩＣカードを利用した電気装置の点検支援方法において、
前記点検対象装置の扉または当該点検対象装置が設置された部屋の出入口ドアに電子錠及びＩＣカードを装着されて入る場合、
前記携帯端末が前記点検サーバから前記中継端末を介して点検作業情報を受け取る際に前記電子錠の錠情報及び前記ＩＣカードのカードＩＤ情報の少なくとも１つの情報を受け取るステップと、前記扉または部屋の出入口ドアに装着された前記ＩＣカードに近づけ、当該ＩＣカードから前記錠情報，カードＩＤ情報を読取り、前記点検サーバから取得した錠情報，カードＩＤ情報と比較し、一致したとき錠情報，カードＩＤ情報のもとに電子錠のロック解除指令を出力する操作規制判断ステップとを、さらに有することを特徴とする非接触ＩＣカードを利用した電気装置の点検支援方法。
【発明の詳細な説明】
【技術分野】
【０００１】
本発明は、電力，各種産業，交通等の分野で広く用いられている電気装置，例えば各種の配電盤や制御盤等を定期的に点検するための携帯端末、非接触ＩＣカードを利用した電気装置の点検支援システム及びその点検支援方法に関する。
【背景技術】
【０００２】
従来、保守員が点検対象装置の点検作業を実施する場合、携帯端末を所持して現場に出向き、監視センターにアクセスし、点検対象装置の仕様に応じた点検項目を取得し、その点検項目に従って点検作業を実施するとともに、その点検作業の終了後、携帯端末で点検対象装置の点検作業終了後の状態を撮影し、監視センターに送信する保守点検管理システムが提案されている（特許文献１）。
【先行技術文献】
【特許文献】
【０００３】
【特許文献１】特開２００７−１３７６５８号公報
【発明の概要】
【発明が解決しようとする課題】
【０００４】
ところで、以上のような特許文献１の技術は、点検対象装置の点検項目だけをダウンロードし、各点検項目の点検作業については自ら作成した作業要領書に従って実施する必要があるので、点検対象装置に関する十分な知識・経験が必要となる。
【０００５】
また、保守員は、点検作業の終了後に点検対象装置の点検作業終了後の状態を撮影し、監視センターに送信しているが、監視センタ側では、点検作業時の進捗状況を全く把握することができない。
【０００６】
さらに、点検作業時、点検作業を禁止する規定が存在しないので、例えば特定の保守員だけしか点検できないとか、指定場所以外の特定の装置設置場所などに侵入できないにも拘らず、侵入して不用意に点検操作を行ってしまうことがあり、十分なセキュリティを確保できない問題がある。
【０００７】
本発明は上記事情に鑑みてなされたもので、経験の少ない点検員であっても効率的、かつ漏れのない点検作業を実施できる携帯端末、非接触ＩＣカードを利用した電気装置の点検支援システム及びその点検支援方法を提供することを目的とする。
【０００８】
また、本発明は、特定の点検対象装置を不用意に操作したり、指定場所以外の場所に侵入できない状況を作り出す非接触ＩＣカードを利用した電気装置の点検支援システム及びその点検支援方法を提供することにある。
【課題を解決するための手段】
【０００９】
（１）  上記課題を解決するために、通信処理機能を備えた本発明に係る携帯端末は、非接触ＩＣカードが搭載され、点検対象装置の設置されている建物・場所に設置される中継端末に近づけて点検作業要求指示を出し、当該中継端末を介して点検サーバから所定の時刻ごとに点検作業内容を規定した点検作業情報をダウンロードし、表示部に表示する点検作業情報表示手段と、点検作業時に前記表示部に点検作業項目を表示し、点検作業の進捗状況に応じて特定の点検作業項目が選択されたとき、当該選択された点検作業項目の点検作業終了を表す作業進捗状況情報を前記通信処理機能を用いて前記点検サーバに通知する作業進捗状況通知手段と、所定の時刻ごとに割り当てられた点検作業内容の作業終了時、記憶指示入力に基づき前記点検作業内容、作業上必要な留意事項のメモ書きデータ，音声入力データ等の点検結果を記憶し、全ての点検作業の終了後、前記非接触ＩＣカードを前記中継端末に近づけて送信指示を出し、当該中継端末から点検結果の情報を読み取らせて前記点検サーバに送信させる点検結果情報送信手段とを備えた構成である。
【００１０】
（２）  また、本発明に係る非接触ＩＣカードを利用した電気装置の点検支援システムは、所定の期間にわたって複数の点検対象装置の点検作業情報を記憶する点検サーバと、非接触ＩＣカードが搭載され、かつ前記点検サーバとの間で通信処理機能を有する携帯端末と、この携帯端末と前記点検サーバとの情報の受渡しを行う中継端末とを備え、前記携帯端末は、前記中継端末に前記非接触ＩＣカードを近づけて点検作業要求指示を出し、当該中継端末を介して点検サーバから所定の時刻ごとに点検作業内容を規定した点検作業情報をダウンロードし、表示部に表示する点検作業情報表示手段と、点検作業時に前記表示部に複数の点検作業項目を表示し、点検作業の進捗状況に応じて特定の点検作業項目が選択されたとき、当該選択された点検作業項目の点検作業終了を表す作業進捗状況情報を前記通信処理機能を用いて前記点検サーバに通知する作業進捗状況通知手段とを備えた構成である。
【００１１】
また、前述した非接触ＩＣカードを利用した電気装置の点検支援システムの構成に新たに、前記点検対象装置の扉または当該点検対象装置が設置された部屋の出入口ドアに電子錠及びＩＣカードを装着されたとき、携帯端末は、点検サーバから中継端末を介して点検作業情報を受け取る際、当該点検作業情報とともに前記電子錠の錠情報及び前記ＩＣカードのカードＩＤ情報の少なくとも１つの情報を受け取る受領手段と、前記扉または部屋の出入口ドアに装着された前記ＩＣカードに近づけ、当該ＩＣカードから前記錠情報，カードＩＤ情報を読取り、前記点検サーバから取得した錠情報，カードＩＤ情報と比較し、一致したとき錠情報，カードＩＤ情報のもとに電子錠のロック解除指令を出力する操作規制判断手段とをさらに設けた構成であってもよい。
【００１２】
（３）  さらに、本発明に係る非接触ＩＣカードを利用した電気装置の点検支援方法は、点検対象装置の設置されている建物・場所に設置される中継端末に対して、非接触ＩＣカードが搭載され、かつ点検サーバとの間で通信処理機能を有する携帯端末を近づけて点検作業要求指示を出し、当該携帯端末が前記中継端末を介して前記点検サーバから所定の時刻ごとに点検作業内容を規定した点検作業情報をダウンロードし、表示部に表示する点検作業情報表示ステップと、この表示部に表示された前記点検作業情報のうち、所定の時刻ごとに割り当てられた点検作業内容が終了したとき、記憶指示入力に基づき当該点検作業内容、作業上必要な留意事項データを個別点検結果として記憶する記憶ステップと、点検作業時に前記表示部に複数の点検作業項目を表示し、点検作業の進捗状況に応じて特定の点検作業項目が選択されたとき、当該選択された点検作業項目の点検作業終了を表す作業進捗状況情報を前記通信処理機能を用いて前記点検サーバに通知する作業進捗状況通知ステップと、今回実施の全部の点検作業終了後、前記中継端末に前記非接触ＩＣカードを近づけて送信指示を出し、当該中継端末から点検結果の情報を読み取らせて前記点検サーバに送信させる点検結果送信ステップとを有する。
【発明の効果】
【００１３】
本発明によれば、比較的経験の少ない点検員であっても効率的、かつ漏れのない点検作業を実施できる携帯端末、非接触ＩＣカードを利用した電気装置の点検支援システム及びその点検支援方法を提供できる。
【００１４】
また、本発明は、特定の点検対象装置を不用意に操作したり、特定の点検対象装置が設置されている指定場所以外の場所に侵入できない状況を作り出すことができる非接触ＩＣカードを利用した電気装置の点検支援システムを提供できる。
【図面の簡単な説明】
【００１５】
【図１】本発明に係る非接触ＩＣカードを利用した電気装置の点検支援システムの第１の実施の形態を示す構成図。
【図２】図１に示す携帯電話等の携帯端末の一構成例を示す図。
【図３】点検サーバのデータベースに形成される点検作業情報テーブルのデータ配列例図。
【図４】点検サーバのデータベースに形成される作業進捗状況テーブルのデータ配列例図。
【図５】本発明に係る非接触ＩＣカードを利用した電気装置の点検支援システム及びその点検支援方法の処理の流れを説明するシーケンス図。
【図６】携帯端末の表示部に点検作業情報を表示している状態を説明する図。
【図７】点検作業結果の記憶及び作業進捗状況の情報を選択送信する例を説明する図。
【図８】本発明に係る非接触ＩＣカードを利用した電気装置の点検支援システムの第２の実施の形態を示す構成図。
【図９】本発明に係る非接触ＩＣカードを利用した電気装置の点検支援システム及びその点検支援方法の処理の流れを説明するフロー図。
【図１０】本発明に係る非接触ＩＣカードを利用した電気装置の点検支援システムにおける第２の実施の形態の他の例を説明する構成図。
【発明を実施するための形態】
【００１６】
以下、本発明の実施の形態について図面を参照して説明する。
【００１７】
（第１の実施の形態）  
図１は本発明に係る非接触ＩＣカードを利用した電気装置の点検支援システムの第１の実施の形態を示す構成図である。
【００１８】
この電気装置の点検支援システムは、非接触ＩＣカード（ＲＦタグ）を搭載した携帯電話等の携帯端末１と、点検サーバ２と、中継端末３とで構成される。
【００１９】
携帯電話等の携帯端末１は、図２に示すように数値，文字情報や必要な制御指示を操作入力するキーボード，マウス機能を有する入力部１１と、携帯電話の本来有する機能の他、本発明による点検支援に関する各種のアプリケーションソフトのもとに諸々の制御処理を実行するＣＰＵ１２と、各種のアプリケーションソフトを記憶する記憶部１３と、所要の通信プロトコルに従って通信処理を実行する通信処理部１４と、液晶などの表示部１５の他、前記ＣＰＵ１２と連携し、外部機器である中継端末３との間で点検に関係する情報の授受、記憶及び表示部１５への表示等を行う非接触ＩＣカード端末１６とが設けられている。
【００２０】
携帯電話等の携帯端末１は、携帯電話本来の機能の他、点検員による入力部１１の制御指示に基づき、大きくは、点検作業情報表示手段１２Ａ、作業進捗状況通知手段１２Ｂ及び点検結果情報送信手段１２Ｃを有する。
【００２１】
点検作業情報表示手段１２Ａは、入力部１１からの点検開始指示に基づき、記憶部１３に予めインストールされている保守点検用アプリケーションを起動した後、点検対象装置（各種の配電盤，制御盤、電気機器等を含む）が設置される例えば変電所等の建物・場所に設置される中継端末３に近づけて点検作業要求指示を入力し、当該中継端末３を介して点検サーバ２のデータベース２１から詳細な所定の時刻ごとの点検作業内容を規定した点検作業情報をダウンロードし、表示部１５に表示する機能を有する。
【００２２】
作業進捗状況通知手段１２Ｂは、点検作業時に入力部１１からの作業進捗指示に基づき、ＣＰＵ１２が予め大まかな複数の点検作業項目を記述したチェックボックスを表示部１５に表示し、点検作業の進捗状況に応じて特定の点検作業項目にマウスポインタを合せてクリックし選択したとき、通信処理部１４が当該選択された点検作業項目の点検作業終了を表す作業進捗状況情報を点検サーバ２へ直接通知する機能を有する。
【００２３】
点検結果情報送信手段１２Ｃは、所定の時刻ごとに割り当てられた点検作業内容の作業終了時、記憶指示入力に基づき点検作業内容、作業上必要な留意事項のメモ書きデータ，音声入力データ等の点検結果を記憶し、全ての点検作業の終了後、非接触ＩＣカード１６を中継端末３に近づけて送信指示を出し、中継端末３から点検結果情報を読み取らせて点検サーバ２に送信させる機能を有する。
【００２４】
前記点検サーバ２は、中央管理センターあるいは保守点検サービスセンター等に設置され、保守点検に関連する情報を蓄積し一元的に管理するためのデータベース２１が設けられている。
【００２５】
このデータベース２１には、少なくとも点検作業情報テーブル２１ａ、点検作業進捗状況テーブル２１ｂ及び全ての点検作業内容の終了後に中継端末３経由で携帯端末１から送られてくる点検結果情報を記憶する点検結果履歴テーブル２１ｃが設けられている。
【００２６】
点検作業情報テーブル２１ａは、図３に示すように予めセンター側で一定期間，例えば１ケ月または３ケ月の期間にわたって各日毎に点検時刻ごとに点検作業内容を規定した点検作業情報が作成され記憶されている。具体的には、各日毎に点検対象地域の中継端末ＩＤ、点検建物又は場所（物件名）、点検対象装置、点検スケジュール（時刻）、点検作業内容、点検対象装置の外形図等格納アドレス等が記憶され、データベース２１における当該外形図等格納アドレス相当領域に点検対象装置の外形図やシーケンス図が格納されている。
【００２７】
すなわち、データベース２１には、保守点検計画に基づいて詳細な点検作業情報を作成し記憶している他、例えば各点検対象装置（例えば配電盤）の閉蓋及び開蓋状態の外形図や点検対象装置がどのように動作するかを把握可能にする設計書であるシーケンス図などが格納されている。
【００２８】
作業進捗状況テーブル２１ｂは、図４に示すように例えば点検建物又は場所、点検対象装置、点検作業内容及び作業終了時刻の項目が設けられ、電話端末本来の通信処理部１４の通信機能を用いて、点検作業の進捗状況に応じて随時携帯端末１から送られてくる作業進捗状況情報を受信し、該当項目に書き込んでいく。このとき、携帯端末１を所有する点検員ＩＤも同時に対応付けて書き込んでいく。
【００２９】
点検結果履歴テーブル２１ｃには、全ての点検作業内容の終了後、携帯端末１の非接触ＩＣカード１６から中継端末３を経由して送信されてくる点検結果情報が記憶される。
【００３０】
前記中継端末３は、各変電所に設置されている変電所監視用ＰＣ（パソコン）等が使用される。
【００３１】
各変電所は、電圧の大きさを変換する機能、電力の流れを集合し、配分する連携機能と、電圧の適正維持を図る調整機能を有し、これら機能を実現するために各種の変電設備機器（遮断器，断路器，変圧器、電力用コンデンサ、分岐リアクトル等）が設置され、これら変電設備機器を所定のシーケンスにより操作、制御するための配電盤等が設置されている。
【００３２】
そこで、配電盤による操作、制御に対する各種の変電設備機器の動作状況を監視するために、変電所監視用ＰＣが使用されている。
【００３３】
本発明の点検支援システムでは、各種の変電設備機器の動作状況を監視する変電所監視用ＰＣ（パソコン）等を有効に活用し、点検に関する情報の中継端末３として役割を持たせている。
【００３４】
そのため、中継端末３には、予め保守点検サービスセンター等から派遣される保守員の保守員ＩＤあるいは携行する携帯端末１に搭載する非接触ＩＣカード１６のカードＩＤが記憶され、該当変電所の配電盤の点検時に携帯端末１を所定距離範囲または所定位置にかざし、点検作業要求指示を出すと、非接触ＩＣカード１６に記憶される保守員ＩＤまたはカードＩＤを読取り、真正な保守員であるか否かを判断する。すなわち、中継端末３は、変電所内の配電盤の点検時、非接触ＩＣカード１６から読み取った保守員ＩＤまたはカードＩＤと既に中継端末３内に登録される保守員ＩＤまたはカードＩＤとを参照し、非接触ＩＣカード１６のＩＤが一致すれば、真正な点検員と判断し、中継端末３の端末ＩＤを含む携帯端末１の点検作業要求を点検サーバ２に送信する機能を有する。また、中継端末３は、点検サーバ２から携帯端末１の点検作業要求に基づく点検に関する情報をダウンロードし、携帯端末１の非接触ＩＣカード１６に読み込ませる処理を行う。
【００３５】
次に、以上のような非接触ＩＣカードを利用した電気装置の点検支援システムの動作ないし本発明に係る電気装置の点検支援方法について、図５を参照して説明する。
【００３６】
（１）  保守員は予め割り当てられた携帯端末１を携行し、予め定める保守点検計画に基づき特定の変電所に出向き、予め当該携帯端末１にインストールしている保守点検用アプリケーションを起動した後、携帯端末１を中継端末３に乗せるか、あるいは近づけ、点検作業要求指示を入力する。非接触ＩＣカード１６は、自身に記憶される保守員ＩＤ（又はカードＩＤ）とともに点検作業要求信号を送出する（ＳＴ１）。
【００３７】
中継端末３は、非接触ＩＤカード１６から受け取った保守員ＩＤなどに基づき、予め保存されている保守員ＩＤリストを参照し、両保守員ＩＤが一致したとき、真正な保守員と判断する（ＳＴ２）。そして、真正な保守員と判断したとき、点検サーバ２をアクセスし、中継端末ＩＤとともに今回点検すべき点検作業情報の要求を行う（ＳＴ３）。
【００３８】
点検サーバ２は、中継端末３から点検作業情報の問合せを受けると、データベース２１の点検作業情報テーブル２１ａを参照し、当該中継端末ＩＤに関するＡ地域変電所の配電盤０１が点検対象装置となっている場合、当該点検対象装置に関する時系列的な各時刻（点検スケジュール）ごとに点検作業内容を規定した点検作業情報を読み出し、中継端末３に向けて送信する（ＳＴ４）。
【００３９】
中継端末３は、点検サーバ２から点検作業情報を受信すると、携帯端末１に送信する（ＳＴ５）。携帯端末１のＣＰＵ１２は、非接触ＩＣカード１６を介して点検作業情報を受け取ると、記憶部１３に格納した後、保守点検用アプリケーションに従って点検作業情報を表示部１５に表示する（ＳＴ６）。
【００４０】
これら一連の処理ＳＴ１〜ＳＴ６は点検作業情報表示手段１２Ａないし点検作業情報表示ステップに相当する。
【００４１】
図６は携帯端末１の表示部１５への点検作業情報の表示例を示す図である。すなわち、携帯端末１の表示部１５にはＡ地域変電所の配電盤０１に関する今回実施する詳細な各所定時刻ごとの点検作業内容が時系列的に表示される。
【００４２】
（２）  そこで、点検員は、携帯端末１の表示部１５に表示される各時刻に対応する点検作業内容に従って点検作業を実施する（ＳＴ７）。このとき、携帯端末１にアラーム機能を備えているので、点検スケジュール機能とアラーム機能とを連携させることにより、次の点検作業内容の時刻に近づくと、アラームを鳴動させるか、あるいは表示部１５の特定のＬＥＤを点滅表示し、点検員に次の点検作業時刻に近づいていることを知らせる。
【００４３】
以上のようにして、点検員は、携帯端末１の表示部１５に表示される点検時刻を伴う点検スケジュールに沿って点検作業を順次進めていく。そして、点検員は、各点検作業内容が終了するごとに、当該点検作業内容を指定し、入力部１１から記憶指示を入力すると、図７の(イ)に示すように個別的な点検作業の実施結果を、記憶部１３または非接触ＩＣカード１６に順次記憶していく（ＳＴ８）。なお、個別的な点検作業内容の実施結果，つまり点検結果を記憶する際、当該点検結果に対応させて点検作業中に生じた事象や留意事項をメモ書きにより入力し、あるいは音声入力し、記憶しておく。このステップＳＴ８は、電気装置の点検支援方法における記憶ステップに相当する。
【００４４】
これにより、個別的な点検作業内容の点検結果の状況、点検時の事象、留意点その他必要な内容を記憶し、例えば同一点検対象装置における次回の点検作業を進める際の参考に供することができる。
【００４５】
（３）  点検員は、携帯端末１の入力部１１から作業進捗指示を入力すると、ＣＰＵ１２は表示部１５に現在実施している点検作業項目を記述したチェックボックスを表示する（ＳＴ９）。このチェックボックスは、予め主要な点検作業項目及び各作業項目ごとに前述した詳細な点検作業内容が規定されている場合、ＧＵＩ環境下において当該主要な点検作業項目を自動的に選択し、点検作業項目を記述したチェックボックスを作成することができる。
【００４６】
そこで、点検員は、図７の（ロ）に示すように点検作業の進捗状況に応じて主要な点検作業項目にマウスポインタを合せてクリックすれば、例えば携帯電話の本来有する通信処理部１４を利用し、点検作業の進捗状況をリアルタイムに点検サーバ２に送信する（ＳＴ１０）。点検サーバ２は、携帯端末１から送信されてくる進捗状況情報をデータベース２１の作業進捗状況テーダル２１ｂに保存する（ＳＴ１１）。これらステップＳＴ９〜ＳＴ１１は作業進捗状況通知手段１２Ｂあるいは作業進捗状況通知ステップに相当する。
【００４７】
なお、携帯電話の本来有する通信処理部１４を利用するのは、点検作業の進捗状況の情報は比較的データ量が少ないためである。
【００４８】
（４）  Ａ地域変電所の配電盤０１に関する今回実施する点検作業内容が全て終了したとき、携帯端末１を中継端末３に載せるか、あるいは近づけ、入力部１１から点検作業完了指示を入力すると、中継端末３は既に記憶部１３または非接触ＩＣカード１６に記憶される点検結果の情報，つまり前述した個別的な点検作業内容の点検結果の情報を読み出し（ＳＴ１２）、点検サーバ２に送信する（ＳＴ１３）。
【００４９】
点検サーバ２は、中継端末３から送られてくる点検結果の情報をデータベース２１の点検結果履歴テーブル２１ｃに保存する（ＳＴ１４）。これらステップＳＴ１２，ＳＴ１３は点検結果情報送信手段１２Ｃないし点検結果送信ステップに相当する。
【００５０】
従って、以上のような実施の形態によれば、点検員が現場で点検作業を行う際、非接触ＩＣカード１６を搭載した携帯端末１を中継端末３に乗せ、当該中継端末３を介して点検サーバ２から時系列的に詳細に記述した点検作情報を取得するので、保守対象機器に関する十分な知識・経験を有しなくても、点検スケジュールに沿って効率的、かつ漏れのない点検作業を計画的に実施することができる。万一作業時間が不足してしまった場合でも、点検サーバ２へ問合せをし、作業の中断、続行の指示を仰ぐことが可能であり、時間不足による予定外作業を防止できる。
【００５１】
また、点検員は、点検作業中に点検作業の進捗状況情報を点検サーバ２に逐次送信することにより、監視センター側では、各点検現場の点検作業時の進捗状況を随時把握できるだけでなく、例えば進捗状況に応じて近くの点検員に応援等を依頼したり、翌日の点検作業の修正等にも迅速に対応することが可能である。
【００５２】
さらに、個別的な点検作業の実施結果の状況、留意点その他必要な内容を記憶し、点検作業の完了時に点検結果の情報として点検サーバ２に送信するので、次回の点検作業を進める際の参考に大きく貢献させることができる。
【００５３】
また、点検作業開始時の点検作業に関する情報や点検作業完了時の点検結果情報の場合には比較的大量のデータであるので、中継端末３を利用して点検サーバ２との間でデータのやり取りを行い、作業途中の作業進捗状況情報の送信の場合には携帯電話本来の通信処理機能を活用し、直接点検サーバ２に送信するので、携帯端末１などの負荷を軽減しつつ必要な情報を確実に点検サーバ２とやり取りできる。
【００５４】
なお、上記実施の形態は、点検サーバ２は専ら保守点検計画に基づいて詳細な点検作業情報を作成し記憶するようにしたが、データベース２１にはその他にも例えば各点検対象機器（例えば配電盤）の閉蓋及び開蓋状態の外形図や点検対象装置がどのように動作しているかを表す設計書としてのシーケンス図などを格納している。
【００５５】
これは、点検員が点検作業の中に、例えば点検対象装置（例えば配電盤）の蓋を開けて補助リレーを点検する際、携帯端末１から中継端末３経由で点検サーバ２から該当点検対象装置の外形図やシーケンス図をダウンロードするとか、点検サーバ２に問合せを行うことにより、開蓋時の外形図の何れの部品が補助リレーであるか、また当該補助リレーがシーケンス図からどのような動作をするのかを確認することができる。すなわち、点検中に点検内容に不明や疑問を生じたとき、点検サーバ２から該当点検対象装置の外形図やシーケンス図等の資料をダウンロードし、調査することができる。
【００５６】
（第２の実施の形態）  
図８は本発明に係る非接触ＩＣカードを利用した電気装置の点検支援システムの第２の実施の形態を示す構成図である。
【００５７】
この実施の形態は、点検員は変電所内のある電気装置の点検作業を実施できるが、特定の電気装置に関して許可なく点検作業を実施できないようにする例である。
【００５８】
通常、各変電所等の配電盤２２としては、遮断器や断路器の入・切り制御を実施する下位となる個別の遮断器盤２３CB，個別の断路器盤２３DS等の他、これら個別盤２３CB，２３DSを監視制御する上位となる監視制御盤（図示せず）が設けられ、例えば図８に示すように配電盤２２内に複数段にわたって実装され、あるいはプラグイン式により実装されている。
【００５９】
このような配電盤２２においては、盤扉２２ａに電子錠２２ｂ及び特定のカードＩＤを所有するＩＣカード２２ｃが装着されている。また、配電盤２２内に実装される個別の盤にも同様に何らかの操作規制が必要な場合には電子錠２３ｂａ及び特定のカードＩＤを所有するＩＣカード２３ｃｃが装着されている。
【００６０】
一方、点検員は、自身が所有する携帯端末１を用いて、第１の実施の形態で説明したように、中継端末３を介して点検サーバ２から所定時刻ごとに点検作業内容を規定した点検作業情報を受領するが、このとき点検サーバ２から当該点検作業情報とともに点検許可を与えるべき点検対象装置のカードＩＤ情報及び鍵情報を受領し、点検作業に着手する。
【００６１】
以下、本実施の形態における点検作業の処理手順について、図９を参照した説明する。
【００６２】
携帯端末１は、中継端末３を経由して点検サーバ２から点検作業情報、カードＩＤ情報及び鍵情報を受信する（Ｓ２１）。
【００６３】
携帯端末１は、受信した点検作業情報、カードＩＤ情報及び鍵情報を記憶部１３に記憶した後、保守点検用アプリケーションに従って点検作業情報を表示部１５に表示する（ＳＴ２２）。
【００６４】
点検員は、表示部１５に表示された各時刻毎に点検作業内容に従って点検作業を進めるとともに、個別の点検作業終了後に入力部１１からの記憶指示に基づき、点検作業内容、点検作業時に注意すべき点、留意事項をメモ書きあるいは音声入力により入力し、個別点検結果として非接触ＩＣカード１６または記憶部１３に記憶する（ＳＴ２３，ＳＴ２４）。
【００６５】
個別点検結果の情報を記憶した後、または記憶指示無しの場合、第１の実施の形態で説明したように携帯端末１の入力部１１から作業進捗指示を受けたとき、ＣＰＵ１２が表示部１５に点検作業項目を記述したチェックボックスを表示し（ＳＴ２５，ＳＴ２６）、点検作業の進捗状況に応じて必要な作業項目が選択されたとき、点検作業の進捗状況情報を点検サーバ２に送信する（ＳＴ２７，ＳＴ２８）。
【００６６】
ところで、点検員は、入力部１１から点検確認指示を入力し、点検作業中にある配電盤２２あるいは個別盤２３CB，２３DS、監視制御盤の何れかを開扉し点検作業を進めるため、携帯端末１を該当盤の電子錠２２ｂ近傍に近づけるか、所定個所にタッチし、携帯端末１から電子錠２２ｂに関するＩＣカード２２ｃに点検確認情報を送信し（ＳＴ２９，ＳＴ３０）、ＩＣカード２２ｃのカードＩＤ情報を読取り、点検サーバ２から受領したカードＩＤ情報と比較し、許可された点検対象装置か否かを判断する（ＳＴ３１，ＳＴ３２）。
【００６７】
ここで、許可された点検対象機器であれば、点検サーバ２から受け取った錠情報を送信し、ＩＣカード２２ｃを介して電子錠２２ｂのロックを解除する（ＳＴ３３）。点検員は、ロック解除後、配電盤２２等の扉２２ａを開放し、配電盤２２内部の点検が可能となる。但し、配電盤２２内部でも特定の個別盤に電子錠が取り付けられている場合には、前述する同様の手順によって電子錠のロックを解除する必要がある。
【００６８】
ステップＳＴ３２において、ＣＰＵ１２がＩＣカード２１ｃから読み取ったカードＩＤ情報と点検サーバ２から受領したカードＩＤ情報とが異なったとき、該当点検対象機器が点検対象外と判断し、表示部１５に点検対象外であることを表示し（ＳＴ３４）、次の処理を継続する場合にはステップＳＴ２２に移行し、同様の処理を繰り返し実行する。ここで、点検対象外と判断された場合、該当点検対象機器である例えば配電盤２２の電子錠２２ｂのロックを解除できない。
【００６９】
従って、この実施の形態によれば、各種の電気装置の扉２２ｃに電子錠２２ｂ及びＩＣカード２２ｃを装着し、点検員が携帯端末１から中継端末３を介して点検サーバ２に点検情報の要求を受けたとき、当該電気装置が点検対象機器であれば点検作業情報に含めて電子錠２２ｂの解除に関する情報を送信し、点検対象機器でなければ電子錠２２ｂの解除に関する情報を送信しないので、点検員による行動範囲を限定することができる。
【００７０】
その結果、今回の点検実施に当り点検対象外の電気装置を不用意に操作することが無くなり、セキュリティの確保を図ることができるる。
【００７１】
なお、図８は、電気装置の不要操作を回避する点について説明したが、例えば図９に示すように点検対象となる電気装置が特定の部屋（例えば機械室）３１に設置されている場合がある。
【００７２】
このような場合には、点検対象となる電気装置に代えて、特定の部屋３１の扉３１ａに同様に電子錠３１ｂ及びＩＣカード３１ｃを装着し、侵入許可を受けた点検員だけに点検作業情報に含めて電子錠３１ｂの解除に関する情報を送信する構成としてもよい。
【００７３】
従って、以上のような構成によれば、勝手に指定場所以外の部屋（機械室）に侵入し、機械設備を含む電気装置を操作することが難しく、万全なるセキュリティを確保することができる。
【００７４】
また、上記実施の形態では、携帯端末１が点検サーバ２からカードＩＤ及び電子錠情報を受領するようにしたが、ＩＤカード２１ｃ（３１ｃ）に電子錠情報を格納し、携帯端末１が点検サーバ２から電子錠情報だけを受け取るようにすれば、電気装置の盤２１や特定の部屋３１の扉２１ａ，３１ａに設けた電子錠２１ｂ，３１ｂのロック解除、ロック状態を維持できる。
【００７５】
その他、本発明は、上記実施の形態に限定されるものでなく、その要旨を逸脱しない範囲で種々変形して実施できる。
【符号の説明】
【００７６】
１…携帯電話等の携帯端末、２…点検サーバ、３…中継端末、１１…入力部、１２…ＣＰＵ、１２Ａ…点検作業情報表示手段、１２Ｂ…作業進捗状況通知手段、１２Ｃ…点検結果情報送信手段、１３…記憶部、１４…通信処理部、１５…表示部、１６…非接触ＩＣカード端末、２１…データベース、２１ａ…点検作業情報テーブル、２１ｂ…点検作業進捗状況テーブル、２１ｃ…点検結果履歴テーブル、２２…配電盤、２３CB…遮断器盤、２３DS…断路器盤、２２ａ…盤扉、２２ｂ…電子錠、２２ｃ…ＩＣカード。
【図１】
2010186438.tif 000003
【図２】
2010186438.tif 000004
【図３】
2010186438.tif 000005
【図４】
2010186438.tif 000006
【図５】
2010186438.tif 000007
【図６】
2010186438.tif 000008
【図７】
2010186438.tif 000009
【図８】
2010186438.tif 000010
【図９】
2010186438.tif 000011
【図１０】
2010186438.tif 000012